(57)【特許請求の範囲】
【請求項１】
一方側と他方側とを連通する第１連通孔、第２連通孔、第３連通孔、及び、第４連通孔を有し、紐を、前記第１連通孔に他方側から通し次に前記第２連通孔に一方側から通し、また、前記第３連通孔に他方側から通し次に前記第４連通孔に一方側から通して配設する支持部材と、
前記支持部材の一方側において、前記第１連通孔と前記第２連通孔とを結ぶ方向に対して交差する方向に、前記支持部材から突出して設けられた分割経路部と、
間隔を開けて一方向に伸長して設けられた一対の押込み部と、この一対の押込み部を一方の端部側で連結する連結部とを有し、前記支持部材の一方側において、前記一対の押込み部の伸長方向に移動可能に配設され、前記一対の押込み部と前記分割経路部との間に前記紐の一部を挟み、前記分割経路部が前記一対の押込み部の間において前記連結部側に位置するように移動させることにより、前記第１連通孔、前記第２連通孔、前記一対の押込み部の先端部、及び、前記分割経路部の間で前記紐を蛇行させる移動部材と
を備えたことを特徴とする紐留具。
【請求項２】
前記支持部材は、前記分割経路部が前記連結部側に位置するように前記移動部材を移動させた状態に係止する移動係止爪を有することを特徴とする請求項１記載の紐留具。
【請求項３】
前記移動係止爪は、前記分割経路部を押圧することにより、前記移動部材から離間する方向に移動可能とされたことを特徴とする請求項２記載の紐留具。
【請求項４】
前記支持部材は、基盤部と、この基盤部との間に前記移動部材を挿入するための空間を形成して前記基盤部を覆うように設けられたカバー部とを有し、
前記支持部材の側部には前記一対の押込み部を挿入するための挿入口が設けられ、
前記一対の押込み部には、前記支持部材から引き出す方向に移動させた時に、前記挿入口に係止して前記挿入口から先端部が抜けないようにする先端係止爪が設けられた
ことを特徴とする請求項１から請求項３のいずれか１に記載の紐留具。
【発明の詳細な説明】
【技術分野】
【０００１】
本発明は、紐の締付け状態を簡単に調節することができる紐留具に関する。
【背景技術】
【０００２】
一般に、紐締めタイプの靴は、靴胛部に沿って設けられた紐孔又は掛け具に靴紐を順次掛け通してその両端部相互を結ぶようになっている。しかし、このようない紐締めタイプの靴では、歩行しやすいようにきつめに紐を結ぶ場合には、靴を履くたびに紐を結びなおさなければならず、手間がかかり煩わしいという問題があった。また、履きやすさを優先して緩めに紐を結ぶ場合には、このような煩わしさはないものの、歩行しやすさが低下してしまうという問題があった。特に、体に障害がある者や要介護者においては、安全性の面からも紐をきつめに結ぶことが好ましいが、片手が使えない場合もあり、煩わしさはより顕著である。そこで、片手でもワンタッチで簡単に紐を緩めたり締めたりする紐留具が望まれていた。
【先行技術文献】
【特許文献】
【０００３】
【特許文献１】特開２０１１−９２６６５号公報
【発明の概要】
【発明が解決しようとする課題】
【０００４】
なお、特許文献１には、靴紐が挿通される２つの紐通し穴を持つ係止部材と、この係止部材を収容して係止部材の紐通し穴と整合して紐が挿通できる２つの横穴を持つ係止受け部と、係止部材と係止受け部との間に配設されて紐通し穴が整合しないように機能するスプリングとを有する靴紐締め付け補助具が記載されている。この靴紐締め付け補助具は、係止部材の紐通し穴及び係止受け部の横穴に靴紐をループ状に通し、係止部材を押して紐通し穴と横穴とを整合させて、靴紐のループ状に引き出した部分の長さを調整することにより、靴紐を緩めたり締めたりするようになっている。しかしながら、本願発明は、特許文献１とは具体的な構成が異なっており、本願発明によれば片手で簡単に紐を緩めたり締めたりすることができるのに対して、特許文献１では、片手で係止部材を押して紐通し穴と横穴とを整合させ、もう片方の手で靴紐のループ状に引き出した部分の長さを調整するので、片手では難しいという問題がある。
【０００５】
本発明は、このような問題に基づきなされたものであり、紐を片手で簡単に緩めたり締めたりすることができる紐留具を提供することを目的とする。
【課題を解決するための手段】
【０００６】
本発明の紐留具は、一方側と他方側とを連通する第１連通孔、第２連通孔、第３連通孔、及び、第４連通孔を有し、紐を、第１連通孔に他方側から通し次に第２連通孔に一方側から通し、また、第３連通孔に他方側から通し次に第４連通孔に一方側から通して配設する支持部材と、支持部材の一方側において、第１連通孔と第２連通孔とを結ぶ方向に対して交差する方向に、支持部材から突出して設けられた分割経路部と、間隔を開けて一方向に伸長して設けられた一対の押込み部と、この一対の押込み部を一方の端部側で連結する連結部とを有し、支持部材の一方側において、一対の押込み部の伸長方向に移動可能に配設され、一対の押込み部と分割経路部との間に紐の一部を挟み、分割経路部が一対の押込み部の間において連結部側に位置するように移動させることにより、第１連通孔、第２連通孔、一対の押込み部の先端部、及び、分割経路部の間で紐を蛇行させる移動部材とを備えたものである。
【発明の効果】
【０００７】
本発明によれば、第１連通孔、第２連通孔、第３連通孔、及び、第４連通孔が形成された支持部材に分割経路部を設け、連結部により連結された一対の押込み部を伸長方向に移動可能に配設して、一対の押込み部と分割経路部との間に紐の一部を挟み、分割経路部が一対の押込み部の間において連結部側に位置するように移動させることにより、第１連通孔、第２連通孔、一対の押込み部の先端部、及び、分割経路部の間で紐を蛇行させるようにしたので、一対の押込み部を分割経路部に対して押し込む方向に移動させることにより、第１連通孔と第２連通孔との間に引き込まれる紐の長さを長くし、逆に引き出す方向に移動させることにより、第１連通孔と第２連通孔との間に引き込まれる紐の長さを短くすることができる。よって、一対の押込み部を移動させることにより、片手で簡単に紐を緩めたり締めたりすることができる。
【０００８】
また、分割経路部が連結部側に位置するように移動部材を移動させた状態に係止する移動係止爪を有するようにすれば、更には、移動係止爪は、分割経路部を押圧することにより、移動部材から離間する方向に移動可能とするようにすれば、安定して動作させることができる。
【０００９】
加えて、一対の押込み部に、支持部材から引き出す方向に移動させた時に、挿入口に係止して挿入口から先端部が抜けないようにする先端係止爪を設けるようにすれば、移動部材と支持部材とが分離されず、取扱いを容易とすることができる。
【００１０】
更にまた、一対の押込み部の先端部を基盤部に対して傾斜して形成し、一対の押込み部の先端面を基盤部及びカバー部の側よりも中央部が窪むように形成するようにすれば、紐を引掛けて容易に引き込むことができる。また、傾斜させることにより、支持部材の内部のスペースを確保し、紐の種類が丸状や太い平板状等のように異なるものであっても、容易に挿入することができる。
【図面の簡単な説明】
【００１１】
【図１】本発明の一実施の形態に係る紐留具の外観構成を表す図である。
【図２】図１に示した紐留具を分解して表す図である。
【図３】図１に示した紐留具のＩＩＩ−ＩＩＩ線に沿った断面構造を表す図である。
【図４】図１に示した紐留具のＩＶ−ＩＶ線に沿った端面構造を表す図である。
【図５】図１に示した紐留具のＶ−Ｖ線に沿った端面構造を表す図である。
【図６】図１に示した紐留具を靴に取り付けた状態を表す図である。
【図７】図１に示した紐留具の動作を表す図である。
【発明を実施するための形態】
【００１２】
以下、本発明の実施の形態について図面を参照して詳細に説明する。
【００１３】
図１は、本発明の一実施の形態に係る紐留具１の外観構成を表すものであり、図２は紐留具１を分解して表すもの、図３から図５は紐留具１の断面構造又は端面構造を表すものである。図６は、紐留具１を靴Ｍに取り付けた状態を表すものである。図７は、紐留具１の動作を表すものである。この紐留具１は、例えば、靴Ｍの紐Ｍ１に取り付けて、紐Ｍ１を緩めたり締めたりするものである。この紐留具１は、例えば、紐Ｍ１を通す第１連通孔１０Ａ、第２連通孔１０Ｂ、第３連通孔１０Ｃ、及び、第４連通孔１０Ｄが設けられた支持部材１０と、この第１連通孔１０Ａと第２連通孔１０Ｂとの間で紐Ｍ１を押圧し、紐Ｍ１を引き込むための移動部材２０とを備えている。
【００１４】
支持部材１０は、例えば、基盤部１１と、この基盤部１１との間に移動部材２０を挿入するための空間を形成して基盤部１１を覆うように設けられたカバー部１２とを有している。なお、図２では、基盤部１１及び移動部材２０はカバー部１２の側から見た構成、カバー部１２は基盤部１１の側から見た構成を表している。基盤部１１は、例えば、移動部材２０の挿入方向において、中央がカバー部１２の側に突出するように湾曲された板状に形成されている。カバー部１２は、例えば、基盤部１１と間隔を開けて対向するように設けられた上部と、この上部と基盤部１１とを接続するように設けられた側部とを有している。基盤部１１のカバー部１２の側の側部周縁部には、例えば、カバー部１２を取り付けるための嵌合孔１１Ａが複数設けられている。カバー部１２の側部の下側には、例えば、基盤部１１の嵌合孔１１に対応する位置に嵌合凸部１２Ａが複数形成されている。カバー部１２は、例えば、嵌合凸部１２Ａを嵌合孔１１Ａに嵌合させることにより、基盤部１１に対して着脱可能に配設されている。支持部材１０の側部、具体的には、カバー部１２の側部には、例えば、移動部材２０の挿入方向における一方の側に、移動部材２０を挿入するための挿入口１３が設けられている。
【００１５】
第１連通孔１０Ａ、第２連通孔１０Ｂ、第３連通孔１０Ｃ、及び、第４連通孔１０Ｄは、基盤部１１とカバー部１２との間の内側を一方側、その外側を他方側とし、一方側と他方側とを連通するように設けられている。具体的には、第１連通孔１０Ａ、第２連通孔１０Ｂ、第３連通孔１０Ｃ、及び、第４連通孔１０Ｄは、例えば、基盤部１１の一方側と他方側とを連通するように設けられている。第１連通孔１０Ａと第２連通孔１０Ｂ、又は、第３連通孔１０Ｃと第４連通孔１０Ｄは、例えば、それぞれ対になっており、移動部材２０の挿入方向に対して垂直方向において対向するように配置されている。また、第１連通孔１０Ａ及び第２連通孔１０Ｂと、第３連通孔１０Ｃ及び第４連通孔１０Ｄとは、例えば、移動部材２０の挿入方向において対向するように配置されており、第１連通孔１０Ａ及び第２連通孔１０Ｂは挿入口１３の側に設けられ、第３連通孔１０Ｃ及び第４連通孔１０Ｄは反対側に設けられている。
【００１６】
支持部材１０は、例えば、紐Ｍ１を、他方から第１連通孔１０Ａに通し次に一方側から第２連通孔１０Ｂに通し、また、他方から第３連通孔１０Ｃに通し次に一方側から第４連通孔１０Ｄに通すことにより配設して用いられるようになっている。
【００１７】
支持部材１０の一方側には、第１連通孔１０Ａと第２連通孔１０Ｂとを結ぶ方向に対して交差する方向に、支持部材１０から突出して分割経路部３０が設けられている。具体的には、分割経路部３０は、例えば、基盤部１１の一方側に、カバー部１２の上部の方に突出して設けられている。分割経路部３０は、第１連通孔１０Ａ及び第２連通孔１０Ｂと、第３連通孔１０Ｃ及び第４連通孔１０Ｄとの間の領域において、第１連通孔１０Ａ及び第２連通孔１０Ｂの側に寄って設けられていることが好ましい。
【００１８】
また、基盤部１１には、例えば、移動部材２０の挿入方向に、挿入口１３の側から一対の切込み１１Ｂが入っている。分離経路部３０は、この一対の切込み１１Ｂにより分離された分離部１１Ｃに配設されていることが好ましい。分離部１１Ｃの挿入口１３の側には、例えば、一方側に、移動部材２０を挿入した状態に係止する移動係止爪１１Ｄがカバー部１２の上部の方に突出して設けられていることが好ましい。カバー部１２の上部には、例えば、分離経路部３０に対応して、分離経路部３０を露出させるための開口部１２Ｂが設けられていることが好ましい。これにより、移動係止爪１１Ｄは、例えば、分割経路部３０を押圧することにより、移動部材２０から離間する方向に移動可能とされており、それにより、移動部材２０の係止を解除できるようになっている。
【００１９】
移動部材２０は、間隔を開けて一方向に伸長して設けられた一対の押込み部２１と、この一対の押込み部２１を一方の端部側で連結する連結部２２とを有している。移動部材２０は、支持部材１０の一方側、例えば、基盤部１１とカバー部１２との間において、一対の押込み部２１の伸長方向に移動可能に配設されている。移動部材２０は、一対の押込み部２１と分割経路部３０との間に紐Ｍ１の一部を挟み、分割経路部３０が一対の押込み部２１の間において連結部２２の側に位置するように移動されることにより、第１連通孔１０Ａ、第２連通孔１０Ｂ、一対の押込み部２１の先端部、及び、分割経路部３０の間で紐Ｍ１を蛇行させるようになっている。
【００２０】
一対の押込み部２１の先端部は、基盤部１１に対して傾斜して形成されていることが好ましい。傾斜させることにより、支持部材１０の内部のスペースを確保し、紐Ｍ１の種類が丸状や太い平板状等のように異なるものであっても、容易に挿入することができるようにするためである。一対の押込み部２１の先端面は、基盤部１１の側及びカバー部１２の側よりも中央部が窪んで形成されていることが好ましい。一対の押込み部２１には、例えば、支持部材１０から引き出す方向に移動させた時に、挿入口１３に係止して挿入口１３から先端部が抜けないようにする先端係止爪２３が設けられ得いることが好ましい。
【００２１】
この紐留具１は、例えば、図６に示したように、紐締めタイプの靴Ｍに取り付けて用いることができる。具体的には、まず、例えば、１本の紐Ｍ１により、爪先から履口部に向かい、左右の甲被部に設けられた複数の紐孔Ｍ２を交互に通して編む。その際、例えば、任意の位置において、左右どちらか一方の甲被部の紐孔Ｍ２から引き出した紐Ｍ１を、基盤部１１の第１連通孔１０Ａに他方側から通し、次に、一方側から第２連通孔１０Ｂに通し、続いて、同一列の紐孔Ｍ２に通したのち、再び、交互に通して編む。また、左右どちらか他方の甲被部の紐孔Ｍ２から引き出した紐Ｍ１を、基盤部１１の第３連通孔１０Ｃに他方側から通し、次に、一方側から第４連通孔１０Ｄに通し、続いて、同一列の紐孔Ｍ２に通したのち、再び、交互に通して編む。
【００２２】
その後、例えば、履口部において、第１連通孔１０Ａ及び第２連通孔１０Ｂに通した方の紐Ｍ１に靴Ｍを楽に履いたり脱いだりできる程度の緩みを持たせて、左右の紐Ｍ１を結ぶ。次いで、例えば、図７（Ａ）に示したように、第１連通孔１０Ａと第２連通孔１０Ｂとの間に通した紐Ｍ１を分割経路部３０との間に挟むように、一対の押込み部２１を挿入口１３に配置する。続いて、例えば、一対の押込み部２１に設けられた先端係止爪２３を挿入口１３の内側に入れて、基盤部１１にカバー部１２を配設する。なお、図７では、カバー部１２を省略し、紐Ｍ１には網掛けを付して表している。
【００２３】
次に、例えば、紐Ｍ１が緩んでいる状態で靴Ｍを履き、移動部材２０を押圧して、一対の押込み部２１を分割経路部３０に対して押し込む方向に移動させる。これにより、例えば、図７（Ｂ）に示したように、移動部材２０は、分割経路部３０が一対の押込み部２１の間において連結部２２の側に位置するように移動し、第１連通孔１０Ａと第２連通孔１０Ｂとの間の紐Ｍ１は一対の押込み部２１の先端部に引掛けられて押され、第１連通孔１０Ａ、第２連通孔１０Ｂ、一対の押込み部２１の先端部、及び、分割経路部３０の間で蛇行して配置される。つまり、緩んでいた紐Ｍ１は、支持部材１０の他方側から一方側に引き込まれて、締まった状態となる。また、移動部材２０は、移動係止爪１１Ｄにより係止され、挿入した状態、すなわち、分割経路部３０が連結部２２の側に位置するように移動された状態に保持される。
【００２４】
また、靴Ｍを脱ぐ際には、例えば、分割経路部３０を押し、移動係止爪１１Ｄを移動部材２０から離間させて、移動部材２０の係止を解除し、移動部材２０を引き出す方向に移動させる。これにより、例えば、図７（Ａ）に示したように、移動部材２０は、分割経路部３０が一対の押込み部２１の先端側に位置するように移動し、第１連通孔１０Ａと第２連通孔１０Ｂとの間の紐Ｍ１は、支持部材１０の一方側から他方側に引き出すことが可能となり、緩んだ状態となる。従って、紐Ｍ１を結び直さなくても、容易に靴Ｍを履いたり脱いだりすることができる。
【００２５】
このように、本実施の形態によれば、第１連通孔１０Ａ、第２連通孔１０Ｂ、第３連通孔１０Ｃ、及び、第４連通孔１０Ｄが形成された支持部材１０に分割経路部３０を設け、連結部２２により連結された一対の押込み部２１を伸長方向に移動可能に配設して、一対の押込み部２１と分割経路部３０との間に紐Ｍ１の一部を挟み、分割経路部３０が一対の押込み部２１の間において連結部２２の側に位置するように移動させることにより、第１連通孔１０Ａ、第２連通孔１０Ｂ、一対の押込み部２１の先端部、及び、分割経路部３３の間で紐Ｍ１を蛇行させるようにしたので、一対の押込み部２１を分割経路部３０に対して押し込む方向に移動させることにより、第１連通孔１０Ａと第２連通孔１０Ｂとの間に引き込まれる紐Ｍ１の長さを長くし、逆に引き出す方向に移動させることにより、第１連通孔１０Ａと第２連通孔１０Ｂとの間に引き込まれる紐Ｍ１の長さを短くすることができる。よって、一対の押込み部２１を移動させることにより、片手で簡単に紐Ｍ１を緩めたり締めたりすることができる。
【００２６】
また、分割経路部３０が連結部２２の側に位置するように移動部材２０を移動させた状態に係止する移動係止爪１１Ｄを有するようにすれば、更には、移動係止爪１１Ｄは、分割経路部３０を押圧することにより、移動部材２０から離間する方向に移動可能とするようにすれば、安定して動作させることができる。
【００２７】
加えて、一対の押込み部２１に、支持部材１０から引き出す方向に移動させた時に、挿入口１３に係止して挿入口１３から先端部が抜けないようにする先端係止爪２３を設けるようにすれば、移動部材２０と支持部材１０とが分離されず、取扱いを容易とすることができる。
【００２８】
更にまた、一対の押込み部２１の先端部を基盤部１１に対して傾斜して形成し、一対の押込み部２１の先端面を基盤部１１及びカバー部１２の側よりも中央部が窪むように形成するようにすれば、紐Ｍ１を引掛けて容易に引き込むことができる。また、傾斜させることにより、支持部材１０の内部のスペースを確保し、紐Ｍ１の種類が丸状や太い平板状等のように異なるものであっても、容易に挿入することができる。
【００２９】
以上、実施の形態を挙げて本発明を説明したが、本発明は上記実施の形態に限定されるものではなく、種々変形可能である。例えば、上記実施の形態では、本発明の紐留具１を靴Ｍの紐Ｍ１に取り付ける場合について説明したが、紐を締めたり緩めたりする場合について広く適用することができる。例えば、紐状のベルトや先端をひもで加工されたベルトが挙げられる。
【００３０】
また、上記実施の形態では、各構成要素について具体的に説明したが、全ての構成要素を備えている必要はなく、また、他の構成要素を備えていてもよい。
【産業上の利用可能性】
【００３１】
靴の紐等に取り付けて用いることができる。
【符号の説明】
【００３２】
１…紐留具、１０…支持部材、１０Ａ…第１連通孔、１０Ｂ…第２連通孔、１０Ｃ…第３連通孔、１０Ｄ…第４連通孔、１１…基盤部、１１Ａ…嵌合孔、１１Ｂ…切込み、１１Ｃ…分離部、１１Ｄ…移動係止爪、１２…カバー部、１２Ａ…嵌合凸部、１２Ｂ…開口部、１３…挿入口、２０…移動部材、２１…押込み部、２２…連結部、２３…先端係止爪、３０…分割経路部、Ｍ…靴、Ｍ２…紐、Ｍ２…紐孔
【要約】
【課題】紐を片手で簡単に緩めたり締めたりすることができる紐留具を提供する。
【解決手段】基盤部１１に第１連通孔１０Ａ、第２連通孔１０Ｂ、第３連通孔１０Ｃ、及び、第４連通孔１０Ｄを設け、紐Ｍ１を、基盤部１１の他方側から第１連通孔１０Ａに通し、次に、一方側から第２連通孔１０Ｂに通す。また、基盤部１１の他方側から第３連通孔１０Ｃに通し、次に、一方側から第４連通孔１０Ｄに通す。一対の押込み部２１と、基盤部１１に設けた分割経路部３０との間に、第１連通孔１０Ａと第２連通孔１０Ｂとの間に通した紐Ｍ１を挟み、一対の押込み部２１を分割経路部３０に対して押し込むことにより、第１連通孔１０Ａ、第２連通孔１０Ｂ、一対の押込み部２１の先端部、及び、分割経路部３０の間で紐Ｍ１を蛇行させる。
【選択図】図７【図１】
0005826423.tif 000002
【図２】
0005826423.tif 000003
【図３】
0005826423.tif 000004
【図４】
0005826423.tif 000005
【図５】
0005826423.tif 000006
【図６】
0005826423.tif 000007
【図７】
0005826423.tif 000008